(57)【要約】【課題】主表示領域と複数の副表示領域とを利用して、より有用な表示を行うことが可能な画像表示装置およびそれに関連する技術を提供する。【解決手段】撮像装置（画像表示装置）１は、主表示領域ＭＲと複数の副表示領域ＳＲ１〜ＳＲ３とを有する背面モニタ１２（表示手段）を備える。また、撮像装置１の表示制御手段は、背面モニタ１２における表示内容を制御して、複数の副表示領域ＳＲ１〜ＳＲ３に複数の画像を表示するとともに、複数の副表示領域ＳＲ１〜ＳＲ３のうちの一の副表示領域（例えばＳＲ２）に表示される画像Ｐ２を主表示領域ＭＲにも表示する。また、この画像Ｐ２に対して所定の変更（回転等）が施されると、所定の変更が施された状態の画像Ｐ２が複数の副表示領域ＳＲ１〜ＳＲ３のうちの一の副表示領域ＳＲ２と主表示領域ＭＲとの双方に表示される。【選択図】図７
2009063727.tif 000002
【特許請求の範囲】
【請求項１】
画像表示装置であって、
主表示領域と複数の副表示領域とを有する表示手段と、
前記表示手段における表示内容を制御して、前記複数の副表示領域に複数の画像を表示するとともに、前記複数の副表示領域のうちの一の副表示領域に表示される第１の画像を前記主表示領域にも表示する表示制御手段と、
前記第１の画像に対して所定の変更を施す変更手段と、
を備え、
前記表示制御手段は、前記所定の変更が施された状態の前記第１の画像を前記一の副表示領域と前記主表示領域との双方に表示することを特徴とする画像表示装置。
【請求項２】
請求項１に記載の画像表示装置において、
前記所定の変更は、画像の回転に関する変更を含み、
前記表示制御手段は、前記回転に関する変更が施された状態の前記第１の画像を、前記一の副表示領域と前記主表示領域との双方に表示することを特徴とする画像表示装置。
【請求項３】
請求項１に記載の画像表示装置において、
前記所定の変更は、画像の変倍に関する変更を含み、
前記表示制御手段は、前記変倍に関する変更が施された状態の前記第１の画像を、前記一の副表示領域と前記主表示領域との双方に表示することを特徴とする画像表示装置。
【請求項４】
請求項１に記載の画像表示装置において、
前記所定の変更は、削除対象画像であることを示すマークを付与する変更を含み、
前記表示制御手段は、前記マークが付与された状態の前記第１の画像を、前記一の副表示領域と前記主表示領域との双方に表示することを特徴とする画像表示装置。
【請求項５】
請求項１に記載の画像表示装置において、
前記所定の変更は、プロテクト対象画像であることを示すマークを付与する変更を含み、
前記表示制御手段は、前記マークが付与された状態の前記第１の画像を、前記一の副表示領域と前記主表示領域との双方に表示することを特徴とする画像表示装置。
【請求項６】
請求項１に記載の画像表示装置において、
前記所定の変更は、画像の印刷指定に関するマークを付与する変更を含み、
前記表示制御手段は、前記マークが付与された状態の前記第１の画像を、前記一の副表示領域と前記主表示領域との双方に表示することを特徴とする画像表示装置。
【請求項７】
請求項１に記載の画像表示装置において、
前記所定の変更は、画像の秘匿化に関するマークを付与する変更を含み、
前記表示制御手段は、前記マークが付与された状態の前記第１の画像を、前記一の副表示領域と前記主表示領域との双方に表示することを特徴とする画像表示装置。
【請求項８】
請求項１に記載の画像表示装置において、
前記所定の変更は、画像の色、コントラスト、および明るさのうちの少なくとも１つに関する画質調整処理を伴う変更を含み、
前記表示制御手段は、前記画質調整処理が施された状態の前記第１の画像を、前記一の副表示領域と前記主表示領域との双方に表示することを特徴とする画像表示装置。
【請求項９】
請求項１に記載の画像表示装置において、
前記表示制御手段は、前記複数の副表示領域に関するスクロール操作に応じて、前記複数の副表示領域のうちの前記一の副表示領域とは異なる他の副表示領域に、前記第１の画像を前記所定の変更が施された状態で表示することを特徴とする画像表示装置。
【請求項１０】
請求項１に記載の画像表示装置において、
前記表示制御手段は、前記複数の副表示領域のうち前記一の副表示領域とは異なる他の副表示領域において、前記第１の画像とは異なる第２の画像を、前記第１の画像に対する前記所定の変更と同等の変更を施した状態で表示することを特徴とする画像表示装置。
【請求項１１】
請求項１０に記載の画像表示装置において、
前記所定の変更は、画像の変倍に関する変更を含み、
前記表示制御手段は、前記第２の画像を、前記第１の画像に対する変倍と同等の変倍処理を施した状態で前記他の副表示領域に表示することを特徴とする画像表示装置。
【請求項１２】
請求項１０に記載の画像表示装置において、
前記所定の変更は、画像の色、コントラスト、および明るさのうちの少なくとも１つに関する画質調整処理を伴う変更を含み、
前記表示制御手段は、前記第２の画像を、前記第１の画像に対する前記画質調整処理と同等の前記画質調整処理を施した状態で前記他の副表示領域に表示することを特徴とする画像表示装置。
【請求項１３】
撮像装置であって、
主表示領域と複数の副表示領域とを有する表示手段と、
前記表示手段における表示内容を制御して、前記複数の副表示領域に複数の画像を表示するとともに、前記複数の副表示領域のうちの一の副表示領域に表示される第１の画像を前記主表示領域にも表示する表示制御手段と、
前記第１の画像に対して所定の変更を施す変更手段と、
を備え、
前記表示制御手段は、前記所定の変更が施された状態の前記第１の画像を前記一の副表示領域と前記主表示領域との双方に表示することを特徴とする撮像装置。
【請求項１４】
コンピュータに、
a)主表示領域と複数の副表示領域とを有する表示手段において、前記複数の副表示領域に複数の画像を表示するとともに、前記複数の副表示領域のうちの一の副表示領域に表示される第１の画像を前記主表示領域にも表示する手順と、
b)前記第１の画像に対して所定の変更を施す手順と、
c)前記所定の変更が施された状態の前記第１の画像を前記一の副表示領域と前記主表示領域との双方に更新表示する手順と、
を実行させるためのプログラム。
【発明の詳細な説明】
【技術分野】
【０００１】
本発明は、画像を表示する画像表示装置およびそれに関連する技術に関する。
【背景技術】
【０００２】
画像表示装置の中には、主画面と副画面とを有する表示部に複数の画像を表示するものが存在する。
【０００３】
例えば、特許文献１においては、複数の副画面に複数の画像が表示されており、当該複数の画像の中から選択された画像が、或る副画面から主画面へと徐々に移動するように表示されることが示されている。
【０００４】
【特許文献１】特開２０００−１８１４２７号公報
【発明の開示】
【発明が解決しようとする課題】
【０００５】
上記の技術は、或る画像を一の副画面（副表示領域とも称する）から主画面（主表示領域とも称する）へと移動させる際の表示技術に関するものであり、それ以外の用途に関するものではない。主画面と副画面との利用手法には、改善の余地がある。
【０００６】
そこで、この発明の課題は、主表示領域と複数の副表示領域とを利用して、より有用な表示を行うことが可能な画像表示装置およびそれに関連する技術を提供することにある。
【課題を解決するための手段】
【０００７】
本発明の第１の側面は、画像表示装置であって、主表示領域と複数の副表示領域とを有する表示手段と、前記表示手段における表示内容を制御して、前記複数の副表示領域に複数の画像を表示するとともに、前記複数の副表示領域のうちの一の副表示領域に表示される第１の画像を前記主表示領域にも表示する表示制御手段と、前記第１の画像に対して所定の変更を施す変更手段とを備え、前記表示制御手段は、前記所定の変更が施された状態の前記第１の画像を前記一の副表示領域と前記主表示領域との双方に表示するものである。
【０００８】
本発明の第２の側面は、撮像装置であって、主表示領域と複数の副表示領域とを有する表示手段と、前記表示手段における表示内容を制御して、前記複数の副表示領域に複数の画像を表示するとともに、前記複数の副表示領域のうちの一の副表示領域に表示される第１の画像を前記主表示領域にも表示する表示制御手段と、前記第１の画像に対して所定の変更を施す変更手段とを備え、前記表示制御手段は、前記所定の変更が施された状態の前記第１の画像を前記一の副表示領域と前記主表示領域との双方に表示するものである。
【０００９】
本発明の第３の側面は、コンピュータに、a)主表示領域と複数の副表示領域とを有する表示手段において、前記複数の副表示領域に複数の画像を表示するとともに、前記複数の副表示領域のうちの一の副表示領域に表示される第１の画像を前記主表示領域にも表示する手順と、b)前記第１の画像に対して所定の変更を施す手順と、c)前記所定の変更が施された状態の前記第１の画像を前記一の副表示領域と前記主表示領域との双方に更新表示する手順とを実行させるためのプログラムである。
【発明の効果】
【００１０】
本発明によれば、所定の変更が施された状態の第１の画像が主表示領域に比較的大きく表示されるので、変更内容の確認が容易である。また、所定の変更が施された状態の第１の画像が、複数の副表示領域のうちの一の副表示領域にも表示されるので、複数の画像のうち第１の画像に対して所定の変更が施されたことを他の画像と比較しつつ確認することができる。
【発明を実施するための最良の形態】
【００１１】
以下、本発明の実施形態を図面に基づいて説明する。
【００１２】
＜１．構成＞
図１および図２は、本発明に係る撮像装置１の外観構成を示す図である。ここで、図１は、撮像装置１の正面外観図であり、図２は、撮像装置１の背面外観図である。この撮像装置１は、レンズ交換式一眼レフレックスタイプのデジタルカメラとして構成されている。なお、撮像装置１は、背面モニタ１２（後述）に画像を表示する画像表示装置としても機能する。
【００１３】
図１に示すように、撮像装置１は、カメラ本体部（カメラボディ）２を備えている。このカメラ本体部２に対して、交換式の撮影レンズユニット（交換レンズ）３が着脱可能である。
【００１４】
また、カメラ本体部２は、その正面左上部にモード設定ダイヤル８２を備え、その正面右上部に制御値設定ダイヤル８６を備えている。モード設定ダイヤル８２を操作することによれば、カメラの各種モード（各種撮影モード（人物撮影モード、風景撮影モード、およびフルオート撮影モード等）、撮影した画像を再生する再生モード、および外部機器との間でデータ交信を行う通信モード等を含む）の設定動作（切替動作）を行うことが可能である。また、制御値設定ダイヤル８６を操作することによれば、各種撮影モードにおける制御値を設定することが可能である。
【００１５】
また、カメラ本体部２は、正面左端部に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えばリチウムイオン電池が収納されており、カード収納室には撮影画像の画像データを記録するためのメモリカード９０（図３参照）が着脱可能に収納される。
【００１６】
図２において、カメラ本体部２の背面の略中央には、背面モニタ１２が設けられている。背面モニタ１２は、例えばカラー液晶ディスプレイ（ＬＣＤ）として構成される。背面モニタ１２は、各種のメニュー画面を表示すること、および、再生モードにおいてメモリカード９０（記録媒体）に記録された撮影画像を再生表示することなどが可能である。
【００１７】
背面モニタ１２の左上部にはメインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００１８】
背面モニタ１２の右側には方向選択キー８４（図４も参照）が設けられている。この方向選択キー８４は、上ボタン８４Ｕと下ボタン８４Ｄと左ボタン８４Ｌと右ボタン８４Ｒとを有しており、上下左右の４方向の押圧操作を検出できるように構成されている。また、方向選択キー８４は、中央ボタン８４Ｃを有しており、上記４方向の押圧操作とは別に、中央部における押圧操作も検出できる。
【００１９】
背面モニタ１２の左側には、メニュー画面の設定、画像の削除などを行うための複数のボタンからなる設定ボタン群８３が設けられている。設定ボタン群８３には、メニューボタン８３Ａおよびシフトボタン８３Ｄが含まれている。
【００２０】
＜２．機能ブロック＞
つぎに、撮像装置１の機能の概要について説明する。
【００２１】
撮像装置１は、撮像素子（ＣＣＤ等）を備えており、光電変換作用により撮影光学系からの被写体の光像（被写体像）を電気的信号に変換して、本撮影画像に係る画像信号（記録用の画像信号）を生成する。
【００２２】
本撮影画像に係る画像データは、適宜の画像処理（圧縮処理等を含む）が施された後、メモリカード９０に記憶される。
【００２３】
また、メモリカード９０内に格納されている画像データは撮像装置１内に読み出され、当該画像データに基づく画像が背面モニタ１２に表示される。すなわち、撮像装置１の背面モニタ１２においては、撮影済みの画像等を再生する再生表示が実現される。
【００２４】
以下では、撮像装置１の再生機能を中心に説明する。
【００２５】
図３の機能ブロック図に示すように、撮像装置１は、読出部２１、表示制御部２２、背面モニタ１２（表示部）、変更制御部３０、および画像メモリ５６等を備える。
【００２６】
読出部２１は、メモリカード９０内の画像データを撮像装置１の画像メモリ５６上へと読み出す処理を制御する。
【００２７】
表示制御部２２は、画像メモリ５６に格納された画像データに基づく画像を背面モニタ１２に表示する表示動作を制御する。この表示制御部２２は、背面モニタ１２における表示内容を制御して、互いに異なる複数の画像を複数の副表示領域ＳＲ（ＳＲ１〜ＳＲ３）（図５参照）に表示するとともに、複数の副表示領域ＳＲ１〜ＳＲ３のうちの一の副表示領域ＳＲ２に表示される画像Ｐ２を主表示領域ＭＲにも表示する。また、表示制御部２２は、所定の変更が施された状態の画像Ｐ２を一の副表示領域ＳＲ２と主表示領域ＭＲとの双方に表示するように、背面モニタ１２に表示内容を制御する。さらに、表示制御部２２は、主表示領域ＭＲに表示すべき画像と副表示領域ＳＲに表示すべき複数の画像との双方に関するリサイズ動作等をも制御する。
【００２８】
変更制御部３０は、各画像に関する様々な変更処理を施す処理部である。変更制御部３０は、回転処理部３１と変倍処理部３２とマーク付与部３３と画像処理部３４とを有している。回転処理部３１は、画像の回転処理を実行する処理部であり、変倍処理部３２は、画像の変倍処理（拡大処理および縮小処理）を実行する処理部である。また、マーク付与部３３は、画像に対して所定のマーク（例えば、削除対象画像であることを示す削除マーク等）を付与する処理部であり、画像処理部（画質調整処理部）３４は、画像に対して色、コントラスト、および明るさ等に関する変更処理（画質調整処理）を施す処理部である。
【００２９】
画像メモリ５６は、画像データを一時的に記憶するための、高速アクセス可能な画像メモリであり、複数フレーム分の画像データを記憶可能な容量を有する。
【００３０】
＜３．再生動作＞
＜３−１．概要および回転処理＞
つぎに、図５を参照しながら、撮像装置１における再生動作について説明する。図５は、背面モニタ１２における再生画面（画像再生画面）Ｇ１の一例を示す図である。この再生画面Ｇ１は、モード設定ダイヤル８２の操作により撮像装置１のモードが「再生モード」に切り替えられること等に応じて、背面モニタ１２に表示される。
【００３１】
図５に示すように、背面モニタ１２の再生画面Ｇ１には、比較的大きな単一の主表示領域ＭＲと比較的小さな複数（ここでは３つ）の副表示領域ＳＲ（ＳＲ１〜ＳＲ３）とが設けられている。主表示領域ＭＲは背面モニタ１２内の上側に配置されており、副表示領域ＳＲ（ＳＲ１〜ＳＲ３）は、背面モニタ１２内の下側に水平方向に並べて配置されている。また、各副表示領域ＳＲ１〜ＳＲ３は、主表示領域ＭＲよりも小さな領域であり、例えば主表示領域ＭＲの約数分の１〜約十数分の１（例えば約１／４）の大きさ（面積）を有している。
【００３２】
各表示領域ＭＲ，ＳＲには、メモリカード９０から読み出された複数の画像が表示される。具体的には、３つの副表示領域ＳＲ１〜ＳＲ３には、所定の基準による順序（例えば撮影番号順）で並べられている複数の画像のうち、連続する３つの画像が表示される。また、３つの副表示領域ＳＲ１〜ＳＲ３のうちの一の副表示領域（詳細には中央の副表示領域ＳＲ２）に表示されている画像Ｐ２は、主表示領域ＭＲにも表示される。
【００３３】
詳細には、まず、読出部２１（図３）によって第ｎ画像Ｐ（ｎ）がメモリカード９０から画像メモリ５６へと読み出される。その後、表示制御部２２によって第ｎ画像Ｐ（ｎ）に関するリサイズ処理が施され、主表示領域ＭＲの大きさに応じた画素数を有する画像データＰＭと、副表示領域ＳＲ（ＳＲ２）の大きさに応じた画素数を有する画像データＰＳ（ＰＳ２）とが生成される。
【００３４】
また、読出部２１によって第（ｎ−１）画像Ｐ（ｎ−１）がメモリカード９０から画像メモリ５６へと読み出される。そして、表示制御部２２によって、第（ｎ−１）画像Ｐ（ｎ−１）に関するリサイズ処理が施され、副表示領域ＳＲ（ＳＲ１）の大きさに応じた画素数を有する画像データＰＳ（ＰＳ１）が生成される。
【００３５】
さらに、読出部２１によって第（ｎ＋１）画像Ｐ（ｎ＋１）がメモリカード９０から画像メモリ５６へと読み出される。そして、表示制御部２２によって、第（ｎ＋１）画像Ｐ（ｎ＋１）に関するリサイズ処理が施され、副表示領域ＳＲ（ＳＲ３）の大きさに応じた画素数を有する画像データＰＳ（ＰＳ３）が生成される。
【００３６】
そして、表示制御部２２によって、これらの画像データＰＭ、ＰＳ１〜ＰＳ３による背面モニタ１２での表示動作が実行される。具体的には、背面モニタ１２の副表示領域ＳＲ１〜ＳＲ３においては、画像データＰＳ１〜ＰＳ３によって比較的小さな画像（サブ画像（副画像）とも称する）が表示され、背面モニタ１２の主表示領域ＭＲにおいては、画像データＰＭによって比較的大きな画像（メイン画像（主画像）とも称する）が表示される。
【００３７】
その後、このような状態においてメニューボタン８３Ａが押下されると、表示制御部２２によって、図６のようなメニュー画面ＧＭが画面Ｇ１（図５）に代えて背面モニタ１２に表示される。このメニュー画面ＧＭには、「回転」、「拡大・縮小」（変倍）、「削除」、「プロテクト」、「ＤＰＯＦ」、「シークレット」、「明るさ変更」等を含む複数のメニュー項目が列挙されている。これらの複数のメニュー項目の中から、撮像装置１の操作者によって所望のメニュー項目が選択されると、当該選択項目に応じた所望の変更動作が実行される。
【００３８】
以下では、まず、メニュー項目「回転」が選択された場合を例示する。
【００３９】
メニュー項目「回転」が選択されると、再び図５の画面Ｇ１に戻る。ただし、復帰後の画面Ｇ１においては、画像の回転処理が可能になる。
【００４０】
具体的には、まず、複数の副表示領域ＳＲ１〜ＳＲ３等に関するスクロール動作が、方向選択キー８４の左ボタン８４Ｌと右ボタン８４Ｒとを用いて実行され、「回転」処理の対象画像が選択される。
【００４１】
例えば、左ボタン８４Ｌが押下されると、それまで左端側の副表示領域ＳＲ１に表示されていた画像Ｐ（ｎ−１）が、中央の副表示領域ＳＲ２に表示されるとともに主表示領域ＭＲにも表示される。また、それまで中央の副表示領域ＳＲ２に表示されていた画像Ｐ（ｎ）は、右端側の副表示領域ＳＲ３に表示される。また、左端側の副表示領域ＳＲ１には、画像Ｐ（ｎ−１）よりも仮想的に左側に存在する別の画像Ｐ（ｎ−２）が表示される。なお、その後、さらに左ボタン８４Ｌが押下されると、同様の動作が実行され、さらに左側の画像が中央へとスクロールする動作が実現される。
【００４２】
あるいは、逆に、右ボタン８４Ｒが押下されると、それまで右端側の副表示領域ＳＲ３に表示されていた画像Ｐ（ｎ＋１）が、中央の副表示領域ＳＲ２に表示されるとともに主表示領域ＭＲにも表示される。また、それまで中央の副表示領域ＳＲ２に表示されていた画像Ｐ（ｎ）は、左端側の副表示領域ＳＲ１に表示される。また、右端側の副表示領域ＳＲ３には、画像Ｐ（ｎ＋１）よりも仮想的に右側に存在する別の画像Ｐ（ｎ＋２）が表示される。
【００４３】
このようなスクロール操作によって、メモリカード９０内の複数の画像のうち３つの画像が３つの副表示領域ＳＲ１〜ＳＲ３に表示される。また、上述のように、各時点において中央の副表示領域ＳＲ２に表示されている画像は、上方の主表示領域ＭＲにも表示される。したがって、主表示領域ＭＲに表示される比較的大きなメイン画像によって、処理対象の画像を確認することができる。
【００４４】
そして、回転処理の対象画像が副表示領域ＳＲ２と主表示領域ＭＲとの双方に表示されている状態において、操作者によって中央ボタン８４Ｃが１回押下されるごとに、対象画像が反時計回りに９０度ずつ回転する。例えば、中央ボタン８４Ｃが１回押下されると、対象画像が９０度回転する。これによれば、図５においては横向きに表示されていた縦画像が、図７に示すように縦向き（正しい向き）で表示される。なお、中央ボタン８４Ｃが２回押下されると、対象画像が１８０度回転し、中央ボタン８４Ｃが３回押下されると、対象画像が２７０度回転する。
【００４５】
詳細には、中央ボタン８４Ｃが１回押下されると、対象画像の主表示領域ＭＲへの表示用の画像データＰＭに対して、９０度の回転処理（「向き」の変更処理とも表現される）が施される。また、同じ対象画像に関する副表示領域ＳＲ２への表示用の画像データＰＳ２に対しても、同じ回転角度（９０度）の回転処理が施される。そして、回転処理後の画像データＰＭを用いて対象画像が主表示領域ＭＲにおいて表示されるとともに、回転処理後の画像データＰＳ２を用いて対象画像が副表示領域ＳＲ２において表示される。また、当該対象画像に関しては９０度の回転処理が施されている旨も撮像装置１の記憶部（例えば画像メモリ５６等）に記憶される。
【００４６】
なお、ここでは、対象画像の２つの画像データ（すなわち主表示領域ＭＲにおける表示用の画像データＰＭ、および副表示領域ＳＲ２における表示用の画像データＰＳ２）に対してそれぞれ、所定の変更処理が施される場合を例示しているが、これに限定されない。例えば、対象画像の一方の画像データＰＭに所定の変更処理を施して新たな画像データＰＭを生成するとともに、当該新たな画像データＰＭに対するリサイズ処理を施すことによって、副表示領域ＳＲ２における表示用の新たな画像データＰＳ２を生成するようにしてもよい。あるいは、対象画像の元の画像データに対して所定の変更処理を施した後に、当該変更処理後の画像データに対してそれぞれ異なるリサイズ処理を施して、２種類の新たな画像データＰＭ，ＰＳ２を生成するようにしてもよい。また、ここでは、画像に関する変更内容（回転角度等）を撮像装置１の記憶部に記憶しておく場合を例示したが、これに限定されない。例えば、メモリカード９０内に格納されている画像データにおいて、当該画像データに対する付加情報として当該変更内容を記憶しておくようにしてもよい。さらに、ここでは、メモリカード９０に記憶される画像データをそのまま維持する一方で、メモリカード９０から撮像装置１に読み込んだ画像データに対して変更を加える場合を例示したが、これに限定されない。例えば、メモリカード９０内の画像データ自体に対して種々の変更（回転等）を加えるようにしてもよい。
【００４７】
その後、変更後の画像データを用いて再生画面Ｇ１が更新される。具体的には、図７に示すように、回転に関する変更（回転処理）が施された状態の画像Ｐ２（すなわち回転後の画像Ｐ２）が、主表示領域ＭＲと中央の副表示領域ＳＲ２との双方において表示される。なお、各領域ＭＲ、ＳＲ２において、画像Ｐ２の回転後に縦横比の不整合により生じる余白部分は、黒色領域ＢＫとして表示される。
【００４８】
以上の表示動作においては、複数の副表示領域ＳＲ（ＳＲ１〜ＳＲ３）に複数の画像が表示されるとともに、複数の副表示領域ＳＲ１〜ＳＲ３のうちの中央の副表示領域ＳＲ２に表示された画像Ｐ２は主表示領域ＭＲにも表示される。したがって、複数の副表示領域ＳＲ１〜ＳＲ３を用いて、或る画像Ｐ２を他の画像と比較しながら視認するとともに、比較的大きな主表示領域ＭＲを用いて、或る画像Ｐ２を確実に視認することができる。
【００４９】
特に、所定の変更（ここでは回転処理）が施された状態の画像Ｐ２が主表示領域ＭＲに比較的大きく表示されるので、変更内容の確認（換言すれば、回転された画像の確認）が容易である。また、変更が施された状態の画像Ｐ２が複数の副表示領域ＳＲのうちの中央の副表示領域ＳＲ２にも表示されるので、画像Ｐ２に対する所定の変更を他の画像と比較しつつ確認することができる。詳細には、複数の画像のうち画像Ｐ２に対して当該所定の変更が施されたことを他の画像と比較しつつ確認することができる。
【００５０】
また、その後、複数の副表示領域ＳＲに関するスクロール操作を伴って、他の画像に対しても同様の回転操作を実行することが可能である。また、この際、スクロール操作前に回転処理が施されている画像（例えば画像Ｐ２）は、当該スクロール操作に応じて、複数の副表示領域ＳＲのうち、中央の副表示領域ＳＲ２とは異なる他の副表示領域ＳＲ１（又はＳＲ３）において、回転処理後の状態で表示される。例えば、図７では中央の副表示領域ＳＲ２に表示されていた画像Ｐ（ｎ）が、図８に示すように、スクロール操作によって右端の副表示領域ＳＲ３に移動して表示される場合においても、画像Ｐ（ｎ）は回転後の状態で右端の副表示領域ＳＲ３に表示される。このように、スクロール操作中においては、複数の副表示領域ＳＲのそれぞれにおいて各画像に関する回転結果を反映させた状態で当該各画像を確認することができる。
【００５１】
なお、回転処理の指示操作を終了する場合には、もう一度、メニューボタン８３Ａを押下し、当該メニュー画面内の項目「通常表示」（不図示）を選択すればよい。このような操作によれば、回転処理の指示操作を実行できない状態に戻った上で、背面モニタ１２には再生画面Ｇ１が再び表示される。
【００５２】
＜３−２．変倍処理＞
次に、メニュー画面ＧＭ（図６）においてメニュー項目「拡大・縮小」が選択された場合を例示する。
【００５３】
メニュー項目「拡大・縮小」が選択されると、背面モニタ１２にはメニュー画面ＧＭに代えて再び画面Ｇ１（図５参照）が表示される。ただし、再表示後の画面Ｇ１においては、画像の変倍処理（拡大／縮小処理）が可能になる。
【００５４】
具体的には、まず、複数の副表示領域ＳＲ１〜ＳＲ３等に関するスクロール動作が、方向選択キー８４の左ボタン８４Ｌと右ボタン８４Ｒとを用いて実行され、「変倍」処理の対象画像が選択される。
【００５５】
図９は、スクロール動作後の再生画面Ｇ１を示す図である。
【００５６】
そして、変倍処理の対象画像Ｐ（ｉ）が主表示領域ＭＲと副表示領域ＳＲ２との双方に表示されている状態において、当該対象画像に対する変倍指示操作が受け付けられる。具体的には、上ボタン８４Ｕが押下されると拡大指示がなされたものとみなされ、下ボタン８４Ｄが押下されると縮小指示がなされたものとみなされる。
【００５７】
また、この変倍操作（特に拡大操作）においては、拡大位置の設定操作も受け付けられる。具体的には、シフトボタン８３Ｄを１回押下すると、拡大位置の設定変更が可能になる。そして、上ボタン８４Ｕと下ボタン８４Ｄと左ボタン８４Ｌと右ボタン８４Ｒとを用いて拡大枠ＥＦが主表示領域ＭＲ内において移動され、拡大位置が設定される。拡大枠ＥＦは、図９に示すように、拡大後の表示対象領域を示すものである。また、シフトボタン８３Ｄを再度押下すると、拡大位置の設定モードは終了し、再び、上ボタン８４Ｕによる拡大指示および下ボタン８４Ｄによる縮小指示等が受け付けられる。
【００５８】
例えば、上ボタン８４Ｕが押下されると、所定の拡大率（例えば、２００％）に応じて画像が拡大される。ここでは、上ボタン８４Ｕが１回押下され元の画像を２倍に拡大する指示が付与されたものとする。
【００５９】
このような拡大指示が付与されると、対象画像Ｐ（ｉ）の画像データを再度メモリカード９０から読み出し、対象画像Ｐ（ｉ）の拡大枠ＥＦ内の領域を切り出し、さらに所定の拡大率に応じて間引き度合いを低減してリサイズすることによって、主表示領域ＭＲへの拡大表示用の新たな画像データＰＭが生成される。また、この拡大表示用の新たな画像データＰＭに基づいて、対象画像に関する副表示領域ＳＲ２への拡大表示用の新たな画像データＰＳ２も生成される。また、当該対象画像に関して２倍の拡大処理が施されている旨および拡大中心位置も、撮像装置１の記憶部（メモリ等）において記憶される。
【００６０】
そして、変更後の画像データＰＭ、ＰＳ２等を用いて再生画面Ｇ１が更新される。具体的には、図１０に示すように、拡大処理後の新たな画像データＰＭを用いて対象画像Ｐ（ｉ）が主表示領域ＭＲにおいて表示されるとともに、新たな画像データＰＳ２を用いて対象画像Ｐ（ｉ）が副表示領域ＳＲ２において表示される。換言すれば、変倍に関する変更（ここでは拡大処理）が施された状態の画像Ｐ２（すなわち拡大後の画像ＰＥ）が、主表示領域ＭＲと中央の副表示領域ＳＲ２との双方において表示される。
【００６１】
以上のような表示動作においては、複数の副表示領域ＳＲ（ＳＲ１〜ＳＲ３）に複数の画像が表示されるとともに、複数の副表示領域ＳＲ１〜ＳＲ３のうちの中央の副表示領域ＳＲ２に表示された画像Ｐ２は主表示領域ＭＲにも表示される。したがって、複数の副表示領域ＳＲ１〜ＳＲ３を用いて、或る画像Ｐ２を他の画像と比較しながら視認するとともに、比較的大きな主表示領域ＭＲを用いて、或る画像Ｐ２を確実に視認することができる。
【００６２】
特に、所定の変更（ここでは変倍処理）が施された状態の画像Ｐ２が主表示領域ＭＲに比較的大きく表示されるので、変更内容の確認（換言すれば、変倍された画像の確認）が容易である。また、変更後の画像Ｐ２が複数の副表示領域ＳＲのうちの中央の副表示領域ＳＲ２にも表示されるので、複数の画像のうち画像Ｐ２に対して当該所定の変更が施されたことを他の画像と比較しつつ確認することができる。さらに、画像Ｐ２に対する当該所定の変更内容を他の画像と比較しつつ確認することも可能である。
【００６３】
また、その後、スクロール操作を伴って、他の画像に関して同様の変倍操作を実行することも可能である。
【００６４】
例えば、図１０の画面Ｇ１が背面モニタ１２に表示されている状態において左ボタン８４Ｌが押下されると、画面Ｇ１は図１１の状態に更新される。具体的には、それまで左端側の副表示領域ＳＲ１に表示されていた画像Ｐ（ｉ−１）が、中央の副表示領域ＳＲ２に表示されるとともに主表示領域ＭＲにも表示される。また、それまで中央の副表示領域ＳＲ２に表示されていた画像Ｐ（ｉ）は、右端側の副表示領域ＳＲ３に表示される。また、左端側の副表示領域ＳＲ１には、画像Ｐ（ｉ−１）よりも仮想的に左側に存在する別の画像Ｐ（ｉ−２）が表示される。
【００６５】
この際、以前の操作で変倍処理が施された副表示領域ＳＲ２の画像は、他の副表示領域ＳＲ１，ＳＲ３に移動しても変倍後の状態で表示される。例えば、図１０において中央の副表示領域ＳＲ２に表示されていた画像Ｐ（ｉ）が、スクロール操作によって右端の副表示領域ＳＲ３に移動して表示される場合を想定する。この場合には、図１１に示すように、画像Ｐ（ｉ）は、変倍後の状態（詳細には２倍に拡大されたままの状態）で右端の副表示領域ＳＲ３において表示される。
【００６６】
このように、スクロール操作中においては、複数の副表示領域ＳＲのそれぞれにおいて各画像に関する変倍結果を反映させた状態で当該各画像を確認することができる。
【００６７】
さらに、その後、スクロール操作中に主表示領域ＭＲおよび中央の副表示領域ＳＲ２に表示されている任意の画像、例えば、画像Ｐ（ｉ−１）を対象にして、変倍処理を実行することが可能である。なお、この際、当該画像Ｐ（ｉ−１）に対しては、独自の変倍率（例えば画像Ｐ（ｉ）に対する変倍率とは異なる変倍率）による変倍処理（例えば４倍の拡大処理）を施すことが可能である。図１２においては、４倍の拡大処理が施された画像Ｐ（ｉ−１）が、主表示領域ＭＲと中央の副表示領域ＳＲ２との双方にそれぞれ表示されている状態が示されている。一方、画像Ｐ（ｉ）は、副表示領域ＳＲ３において２倍に拡大されたままの状態で表示されている。
【００６８】
以上のように、各副表示領域ＳＲ１〜ＳＲ３においては変更処理（ここでは変倍処理）が施された状態の画像が表示されるので、他の画像との比較を行い易い。特に、各副表示領域ＳＲ１〜ＳＲ３においては、個別に設定された変倍率による拡大画像がそれぞれ表示されるので、各画像を各副表示領域において所望の状態で視認することができる。
【００６９】
なお、上記では拡大処理を中心に説明したが、縮小処理についても同様である。
【００７０】
また、この実施形態においては、各副表示領域ＳＲ（ＳＲ１〜ＳＲ３）において、各画像に個別に設定された変倍状態で各画像を表示する場合（図１０参照）を例示したが、これに限定されない。たとえば、主表示領域ＭＲに対する変倍操作（詳細には上ボタン８４Ｕの押下操作）に応じて、図１３に示すように、全ての副表示領域ＳＲ（ＳＲ１〜ＳＲ３）において、主表示領域ＭＲと同一の変倍状態を適用した変倍画像が表示されるようにしてもよい。図１３の画面Ｇ１は、副表示領域ＳＲ２において画像Ｐ（ｉ）を２倍に拡大した画像が表示される点で図１０の画面Ｇ１と共通している。その一方で、他の副表示領域ＳＲ１，ＳＲ３においても、同じ倍率（すなわち２倍）による拡大画像が表示される点で図１０と相違する。具体的には、副表示領域ＳＲ１において画像Ｐ（ｉ−１）に関する２倍拡大画像が表示されるとともに、副表示領域ＳＲ３において画像Ｐ（ｉ＋１）に関する２倍拡大画像が表示される点で、図１０と相違する。
【００７１】
＜３−３．削除処理＞
次に、メニュー画面ＧＭ（図６）においてメニュー項目「削除」が選択された場合を例示する。
【００７２】
メニュー項目「削除」が選択されると、背面モニタ１２にはメニュー画面ＧＭに代えて再び画面Ｇ１（図５参照）が表示される。ただし、再表示後の画面Ｇ１においては、画像の削除処理、詳細には、操作者が選択（指定）した画像のみを削除する「選択的削除処理」が可能になる。
【００７３】
具体的には、まず、複数の副表示領域ＳＲ１〜ＳＲ３等に関するスクロール動作が、方向選択キー８４の左ボタン８４Ｌと右ボタン８４Ｒとを用いて実行され、「削除」処理の対象画像が選択される。
【００７４】
図１４は、スクロール動作後の再生画面Ｇ１を示す図である。
【００７５】
そして、削除処理の対象画像Ｐ（ｊ）が主表示領域ＭＲと副表示領域ＳＲ２との双方に表示されている状態において、中央ボタン８４Ｃが押下されると、当該対象画像Ｐ（ｊ）に対する暫定的な削除指示が受け付けられる。なお、中央ボタン８４Ｃが再度押下されると、当該対象画像Ｐ（ｊ）に対する暫定的な削除指示が解除される。
【００７６】
中央ボタン８４Ｃの押下により削除指示が付与されると、図１５に示すように、対象画像Ｐ（ｊ）の主表示領域ＭＲへの表示用の画像データＰＭに対して画像処理（削除マークの付与処理）が施される。この削除マークの付与処理は、その画像を削除すべき旨を示すマーク（削除マークとも称する）ＭＫ１を対象画像Ｐ（ｊ）に対して重畳的に描画する画像処理である。また、同じ対象画像Ｐ（ｊ）に関する副表示領域ＳＲ２への表示用の画像データＰＳ２に対しても、同様の削除マークＭＫ１の付与処理が施される。そして、削除マークＭＫ１が付与された対象画像Ｐ（ｊ）が新たな画像データＰＭを用いて主表示領域ＭＲにおいて表示されるとともに、削除マークＭＫ１が付与された対象画像Ｐ（ｊ）が新たな画像データＰＳ２を用いて副表示領域ＳＲ２において表示される。また、当該対象画像Ｐ（ｊ）に関しては、削除すべき旨の指示（削除指示）が付与されていることが撮像装置１の記憶部（メモリ等）に記憶される。
【００７７】
以上のような表示動作においては、複数の副表示領域ＳＲ（ＳＲ１〜ＳＲ３）に複数の画像が表示されるとともに、複数の副表示領域ＳＲ１〜ＳＲ３のうちの中央の副表示領域ＳＲ２に表示された画像Ｐ２（画像Ｐ（ｊ））は主表示領域ＭＲにも表示される。したがって、複数の副表示領域ＳＲ１〜ＳＲ３を用いて、或る画像Ｐ２を他の画像と比較しながら視認するとともに、比較的大きな主表示領域ＭＲを用いて、或る画像Ｐ２を確実に視認することができる。
【００７８】
特に、所定の変更（ここでは削除マークＭＫ１の付与処理）が施された状態の画像Ｐ２（画像Ｐ（ｊ））が主表示領域ＭＲに比較的大きく表示されるので、変更内容の確認（換言すれば、削除マークＭＫ１の有無の確認）が容易である。また、変更後の画像Ｐ２（画像Ｐ（ｊ））が複数の副表示領域ＳＲ１〜ＳＲ３のうちの中央の副表示領域ＳＲ２にも表示されるので、画像Ｐ２に対する当該所定の変更を他の画像と比較しつつ確認することができる。詳細には、複数の画像のうち或る画像Ｐ２に対して削除指示が付与されていることを、各副表示領域ＳＲ１〜ＳＲ３に表示される他の画像とも比較（対照）しながら、認識することができる。
【００７９】
また、その後、スクロール操作を伴って、他の画像に関する同様の削除指示の付与操作を実行することも可能である。
【００８０】
例えば、図１５の画面Ｇ１が背面モニタ１２に表示されている状態において右ボタン８４Ｒが押下されると、画面Ｇ１は図１６の状態に更新される。具体的には、それまで右端側の副表示領域ＳＲ３に表示されていた画像Ｐ（ｊ＋１）が、中央の副表示領域ＳＲ２に表示されるとともに主表示領域ＭＲにも表示される。また、それまで中央の副表示領域ＳＲ２に表示されていた画像Ｐ（ｊ）は、左端側の副表示領域ＳＲ１に表示される。また、右端側の副表示領域ＳＲ３には、画像Ｐ（ｊ＋１）よりも仮想的に右側に存在する別の画像Ｐ（ｊ＋２）が表示される。
【００８１】
この際、以前の操作で削除マークＭＫ１が付与された画像Ｐ（ｊ）は、副表示領域ＳＲ２から他の副表示領域ＳＲ１，ＳＲ３に移動しても、削除マークＭＫ１が付与された状態で表示される。例えば、図１５において中央の副表示領域ＳＲ２に表示されていた画像Ｐ（ｊ）が、スクロール操作によって左端の副表示領域ＳＲ１に移動して表示される場合を想定する。この場合には、図１６に示すように、画像Ｐ（ｊ）は、削除マークＭＫ１が付与された状態で左端の副表示領域ＳＲ１において表示される。
【００８２】
このように、スクロール操作前の中央の副表示領域ＳＲ２において削除マークＭＫ１が付与された状態で表示されていた画像（例えば画像Ｐ２）は、当該スクロール操作に応じて、複数の副表示領域ＳＲのうち、中央の副表示領域ＳＲ２とは異なる他の副表示領域ＳＲ１（又はＳＲ３）において、削除マークＭＫ１が付与されたままの状態で表示される。これによれば、操作者は、スクロール操作中、複数の副表示領域ＳＲのそれぞれにおいて、各画像に関する削除指示の有無（削除マークの付与結果）を反映させた状態で当該各画像を確認することができる。したがって、他の画像との比較（対照）を行い易い。
【００８３】
さらに、その後、スクロール操作中に主表示領域ＭＲおよび中央の副表示領域ＳＲ２に表示されている任意の画像、例えば、画像Ｐ（ｊ＋１）を対象にして、削除マークの付与処理を実行することが可能である。具体的には、図１６の画面Ｇ１が背面モニタ１２に表示されている状態で中央ボタン８４Ｃが押下されると、当該画面Ｇ１は図１７に示す状態に更新される。
【００８４】
図１７においては、削除マークの付与処理が施された画像Ｐ（ｊ＋１）が、主表示領域ＭＲと中央の副表示領域ＳＲ２との双方にそれぞれ表示されている状態が示されている。また、上述したように、画像Ｐ（ｊ）は、副表示領域ＳＲ１において削除マークＭＫ１が付されたままの状態で表示されている。
【００８５】
また、同様の動作を繰り返すことによって、さらに多くの画像に対する削除指示が付与され得る。
【００８６】
そして、操作者は、削除すべき画像に対する削除指示の付与処理が全て終了すると、もう一度メニューボタン８３Ａを押下する。撮像装置１は、この押下操作に応答して、今度は確認画面ＧＣ（図１８参照）を背面モニタ１２に表示する。そして、画面ＧＣ内の「ＹＥＳ」ボタンが押下されると、これまでの削除指示内容が確定され、実際の削除動作が実行される。具体的には、削除マークが付与されていた（削除対象として選択されていた）１つ又は複数の当該対象画像がメモリカード９０から削除される。
【００８７】
＜３−４．プロテクト処理＞
次に、メニュー画面ＧＭ（図６）においてメニュー項目「プロテクト」が選択された場合を例示する。
【００８８】
メニュー項目「プロテクト」が選択されると、背面モニタ１２にはメニュー画面ＧＭに代えて再び画面Ｇ１（図５参照）が表示される。ただし、再表示後の画面Ｇ１においては、画像のプロテクト処理、詳細には、操作者が選択（指定）した画像を保護する（プロテクト）する「選択的プロテクト処理」が可能になる。
【００８９】
対象画像の選択動作および対象画像のプロテクト指示の受付動作等は、上述の「選択的削除処理」と同様に実行される。例えば、中央ボタン８４Ｃの押下に応じて、対象画像に対するプロテクト指示が付与される。また、副表示領域ＳＲに関するスクロール操作を伴って、対象画像の選択操作が実行される。さらに、プロテクト指示が１つ又は複数の画像に対して付与された後に、メニューボタン８３Aが押下されると、図１８と同様の確認画面ＧＣが背面モニタ１２に表示される。そして、確認画面ＧＣを用いた確定指示に応じて、選択された画像（被選択画像）に対するプロテクト処理（具体的には、メモリカード９０において被選択画像のファイルを書込禁止属性へと変更する処理）が実行される。この結果、非選択画像に対する削除および修正等が制限される。
【００９０】
ただし、この選択的プロテクト処理においては、図１９に示すように、削除マークＭＫ１の代わりにプロテクトマークＭＫ２が付与される。このプロテクトマークＭＫ２は、その画像をプロテクトすべき旨を示すマークである。
【００９１】
このような表示動作においても、上述の「選択的削除処理」と同様の効果を得ることができる。
【００９２】
特に、所定の変更（ここではプロテクトマークＭＫ２の付与処理）が施された状態の画像Ｐ２が主表示領域ＭＲに比較的大きく表示されるので、変更内容の確認（換言すれば、プロテクトマークＭＫ２の有無の確認）が容易である。また、変更後の画像Ｐ２が中央の副表示領域ＳＲ２にも表示されるので、画像Ｐ２に対する当該所定の変更を他の画像と比較しつつ確認することができる。詳細には、複数の画像のうち或る画像Ｐ２に対してプロテクト指示が付与されていることを、各副表示領域ＳＲ１〜ＳＲ３に表示される他の画像と比較（対照）しながら、認識することができる。
【００９３】
＜３−５．プリント指定処理＞
次に、メニュー画面ＧＭ（図６）においてメニュー項目「ＤＰＯＦ」（Digital Print Order Format）が選択された場合を例示する。
【００９４】
メニュー項目「ＤＰＯＦ」が選択されると、背面モニタ１２にはメニュー画面ＧＭに代えて再び画面Ｇ１（図５参照）が表示される。ただし、再表示後の画面Ｇ１においては、ＤＰＯＦを利用したプリント指定処理（印刷指定処理）、詳細には、被選択画像を印刷出力することなどを指定する「選択的印刷指定処理」が可能になる。
【００９５】
この印刷指定処理においては、上ボタン８４Ｕと下ボタン８４Ｄとの押下に応じて印刷枚数を増減する設定操作が可能である。また、この印刷指定処理においては、図２０に示すように、削除マークＭＫ１の代わりに印刷指定マークＭＫ３が、対象画像Ｐ２に対して付与される。この印刷指定マークＭＫ３は、その画像を印刷すべき旨を示すマークである。また、印刷指定マークＭＫ３は、その画像の印刷指定枚数をも併せて示している。詳細には、当該マークＭＫ３に含まれる数字が、その画像の印刷指定枚数を示している。
【００９６】
また、その他の動作は、上述の「選択的削除処理」と同様に実行される。
【００９７】
例えば、副表示領域ＳＲに関するスクロール操作を伴って、対象画像の選択操作が実行される。また、印刷指定が１つ又は複数の画像に対して付与された後に、メニューボタン８３Aが押下されると、図１８と同様の確認画面ＧＣが背面モニタ１２に表示される。そして、確認画面ＧＣを利用して確定指示が付与されると、撮像装置１は、選択された画像に対する印刷指定処理（ＤＰＯＦを利用して被選択画像に対する印刷枚数等を指定する処理）を実行する。
【００９８】
このような表示動作においても、上述の「選択的削除処理」と同様の効果を得ることができる。
【００９９】
特に、所定の変更（ここでは印刷指定マークＭＫ３の付与処理）が施された状態の画像Ｐ２が主表示領域ＭＲに比較的大きく表示されるので、変更内容の確認（換言すれば、印刷指定マークＭＫ３の有無の確認および印刷指定枚数の確認）が容易である。また、変更後の画像Ｐ２が中央の副表示領域ＳＲ２にも表示されるので、画像Ｐ２に対する当該所定の変更を他の画像と比較しつつ確認することができる。詳細には、複数の画像のうち或る画像Ｐ２に対して印刷指定が付与されていることと、当該画像Ｐ２に対する印刷指定枚数とを、各副表示領域ＳＲ１〜ＳＲ３に表示される他の画像と比較（対照）しながら、認識することができる。
【０１００】
＜３−６．シークレット処理＞
次に、メニュー画面ＧＭ（図６）においてメニュー項目「シークレット」が選択された場合を例示する。
【０１０１】
メニュー項目「シークレット」が選択されると、背面モニタ１２にはメニュー画面ＧＭに代えて再び画面Ｇ１（図５参照）が表示される。ただし、再表示後の画面Ｇ１においては、選択画像を秘匿化して非表示状態にする処理（「シークレット処理」）、詳細には、操作者が選択（指定）した画像を秘匿化して非表示状態にする「選択的シークレット処理」が可能になる。
【０１０２】
対象画像の選択動作および対象画像の秘匿化指示の受付動作等は、上述の「選択的削除処理」と同様に実行される。例えば、中央ボタン８４Ｃの押下に応じて、対象画像に対する秘匿化指示が付与される。また、副表示領域ＳＲに関するスクロール操作を伴って、対象画像の選択操作が実行される。さらに秘匿化指示が１つ又は複数の画像に対して付与された後に、メニューボタン８３Aが押下されると、図１８と同様の確認画面ＧＣが背面モニタ１２に表示される。その後、確認画面ＧＣを利用して確定指示が付与されると、撮像装置１は、当該確定指示に応答して、被選択画像に対する秘匿化処理を実行する。以後、当該被選択画像は、背面モニタ１２上の再生画面Ｇ１に表示されなくなる。なお、別途の秘匿化解除処理が受け付けられることにより、当該非表示状態は解除され得る。
【０１０３】
ただし、この選択的秘匿化処理においては、図２１に示すように、削除マークＭＫ１の代わりに秘匿化マークＭＫ４が付与される。この秘匿化マークＭＫ４は、その画像を秘匿化すべき旨を示すマークである。
【０１０４】
このような表示動作においても、上述の「選択的削除処理」と同様の効果を得ることができる。
【０１０５】
特に、所定の変更（ここでは秘匿化マークＭＫ４の付与処理）が施された状態の画像Ｐ２が主表示領域ＭＲに比較的大きく表示されるので、変更内容の確認（換言すれば、秘匿化マークＭＫ４の有無の確認）が容易である。また、変更後の画像Ｐ２が中央の副表示領域ＳＲ２にも表示されるので、画像Ｐ２に対する当該所定の変更を他の画像と比較しつつ確認することができる。詳細には、複数の画像のうち或る画像Ｐ２に対して秘匿化指示が付与されていることを、各副表示領域ＳＲ１〜ＳＲ３に表示される他の画像と比較（対照）しながら、認識することができる。
【０１０６】
＜３−７．画質調整処理（明るさ変更）＞
次に、メニュー画面ＧＭ（図６）においてメニュー項目「明るさ変更」が選択された場合を例示する。
【０１０７】
メニュー項目「明るさ変更」が選択されると、背面モニタ１２にはメニュー画面ＧＭに代えて再び画面Ｇ１（図５参照）が表示される。ただし、再表示後の画面Ｇ１においては、選択画像の明るさを変更する処理（輝度変更処理とも称される）の実行が可能になる。
【０１０８】
この「明るさ変更処理」においては、上ボタン８４Ｕと下ボタン８４Ｄとの押下に応じて、明るさを増減する変更操作が可能である。また、「明るさ変更処理」においては、図２２に示すように、対象画像Ｐ（ｋ）に関する主表示領域ＭＲへの表示用の画像データＰＭに対して明るさを増減する画質調整処理（明るさ変更処理）が施される。また、同じ対象画像Ｐ（ｋ）に関する副表示領域ＳＲ２への表示用の画像データＰＳ２に対しても、同程度の明るさ変更処理が施される。そして、明るさ変更後の新たな画像データＰＭを用いて対象画像Ｐ（ｋ）が主表示領域ＭＲにおいて表示されるとともに、明るさ変更後の新たな画像データＰＳ２を用いて対象画像Ｐ（ｋ）が副表示領域ＳＲ２において表示される。また、当該対象画像Ｐ（ｋ）に関しては、明るさ変更の指示（削除指示）が付与されていることが、当該明るさ変更の程度とともに、撮像装置１の記憶部（メモリ等）に記憶される。
【０１０９】
また、その他の動作は、上述の「選択的削除処理」と同様に実行される。例えば、副表示領域ＳＲに関するスクロール操作を伴って、対象画像の選択操作が実行される。
【０１１０】
このような表示動作においても、上述の「選択的削除処理」と同様の効果を得ることができる。
【０１１１】
特に、所定の変更（ここでは明るさ変更処理）が施された状態の画像Ｐ２が主表示領域ＭＲに比較的大きく表示されるので、変更内容の確認（換言すれば、明るさ変更後の画像の確認）が容易である。また、変更後の画像Ｐ２が中央の副表示領域ＳＲ２にも表示されるので、画像Ｐ２に対する当該所定の変更を他の画像と比較しつつ確認することができる。詳細には、複数の画像のうち或る画像Ｐ２に対して明るさ変更処理が施されていることを、各副表示領域ＳＲ１〜ＳＲ３に表示される他の画像と比較（対照）しつつ、認識することができる。また、明るさ変更後の画像Ｐ２を、各副表示領域ＳＲ１〜ＳＲ３に表示される他の画像と比較（対照）しながら、視認することも可能である。
【０１１２】
なお、ここでは、各副表示領域ＳＲ（ＳＲ１〜ＳＲ３）において、各画像に個別に設定された明るさで各画像を表示する場合（図２２参照）を例示したが、これに限定されない。たとえば、主表示領域ＭＲに対する明るさ変更操作（上ボタン８４Ｕおよび／または下ボタン８４Ｄの押下操作）に応じて、図２３に示すように、全ての副表示領域ＳＲ（ＳＲ１〜ＳＲ３）において、主表示領域ＭＲにおける明るさ変更と同等の明るさ変更を施した輝度変更画像が表示されるようにしてもよい。図２３の画面Ｇ１は、副表示領域ＳＲ２において、その明るさが主表示領域ＭＲと同程度に変更された画像Ｐ（ｋ）が表示される点で図２２の画面Ｇ１と共通している。その一方で、他の副表示領域ＳＲ１，ＳＲ３における表示画像に対しても、同程度の明るさ変更が施される点で図２２と相違する。具体的には、副表示領域ＳＲ１においては、画像Ｐ（ｋ）に対する明るさ変更と同程度の明るさ変更が施された画像Ｐ（ｋ−１）が表示される。同様に、副表示領域ＳＲ３においては、画像Ｐ（ｋ）に対する明るさ変更と同程度の明るさ変更が施された画像Ｐ（ｋ＋１）が表示される。
【０１１３】
このように、全ての副表示領域ＳＲ１〜ＳＲ３においては、主表示領域ＭＲでの表示画像Ｐ（ｋ）に対する明るさ変更と同程度の明るさ変更が施された画像が表示される。したがって、副表示領域ＳＲ（特に、副表示領域ＳＲ１，ＳＲ３）に表示された画像を見ることによって、主表示領域ＭＲの表示画像Ｐ（ｋ）に対する明るさ変更と同程度の明るさ変更を他の画像Ｐ（ｋ−１），Ｐ（ｋ＋１）に施した場合に当該他の画像Ｐ（ｋ−１），Ｐ（ｋ＋１）がどのように変更されるかを、簡易に確認することができる。すなわち、変更後の画像Ｐ（ｋ−１），Ｐ（ｋ＋１）を画像Ｐ（ｋ）と比較対象しつつ簡易に確認することができる。換言すれば、複数の副表示領域ＳＲ１〜ＳＲ３において、同等の明るさ変更が施された複数の画像Ｐ（ｋ−１），Ｐ（ｋ），Ｐ（ｋ＋１）を同時に閲覧することができる。
【０１１４】
＜４．その他＞
以上、この発明の実施の形態について説明したが、この発明は上記説明した内容のものに限定されるものではない。
【０１１５】
たとえば、上記実施形態においては、画質調整処理のうち「明るさ変更処理」について例示したが、これに限定されず、その他の画質調整処理（例えば、「コントラスト変更処理」、「色相変更処理」、「彩度変更処理」等）についても、上記の思想を適用することが可能である。
【０１１６】
これによれば、図２２に示すように、所定の変更（「コントラスト変更処理」等）が施された状態の画像Ｐ２が主表示領域ＭＲに比較的大きく表示されるので、変更内容の確認（コントラスト変更後の画像の確認等）が容易である。また、変更後の画像Ｐ２が中央の副表示領域ＳＲ２にも表示されるので、画像Ｐ２に対する当該所定の変更を他の画像と比較しつつ確認することができる。詳細には、複数の画像のうち或る画像Ｐ２に対して画質調整処理が施されていることを、各副表示領域ＳＲ１〜ＳＲ３に表示される他の画像とも比較（対照）しながら、認識することができる。
【０１１７】
また、上記実施形態においては、表示制御部２２は、背面モニタ１２における表示内容を制御して、複数の副表示領域ＳＲ１〜ＳＲ３のうちの中央の副表示領域ＳＲ２に表示される画像Ｐ２を主表示領域ＭＲにも表示させている。しかしながら、これに限定されず、例えば、複数の副表示領域ＳＲ１〜ＳＲ３のうちの左側の副表示領域ＳＲ１に表示される画像Ｐ１を主表示領域ＭＲにも表示するようにしてもよい。なお、この場合には、主表示領域ＭＲと副表示領域ＳＲ１とが対応していることが判り易いように、主表示領域ＭＲを背面モニタ１２の画面Ｇ１内において左寄りに配置することが好ましい。
【０１１８】
また、上記実施形態においては、撮像装置１の表示部（背面モニタ１２）において画像を表示する画像表示技術に本発明の思想を適用する場合を例示したが、これに限定されない。
【０１１９】
例えば、撮像装置１によって取得された撮影画像を、パーソナルコンピュータ等のコンピュータの表示部に表示する場合に本発明の思想を適用するようにしてもよい。具体的には、パーソナルコンピュータのＣＰＵ等を用いて上記の機能を実現するプログラムを実行し、撮像装置１によって取得された撮影画像を上記の画面Ｇ１と同様の画面に表示するようにしてもよい。
【０１２０】
また、表示対象の画像は撮影画像に限定されず、様々な種類の画像を表示対象にするようにしてもよい。
【０１２１】
さらには、撮像機能を有しない画像再生専用装置等において、各種の画像を表示する際に上記の思想を適用するようにしてもよい。
【図面の簡単な説明】
【０１２２】
【図１】撮像装置の正面外観図である。
【図２】撮像装置の背面外観図である。
【図３】撮像装置の機能構成を示すブロック図である。
【図４】方向選択キーの拡大図である。
【図５】背面モニタにおける画像再生画面を示す図である。
【図６】メニュー画面を示す図である。
【図７】回転処理後の再生画面を示す図である。
【図８】回転処理後にスクロールした再生画面を示す図である。
【図９】スクロール操作後の再生画面を示す図である。
【図１０】拡大処理後の再生画面を示す図である。
【図１１】更なるスクロール操作後の再生画面を示す図である。
【図１２】他の画像に関する拡大処理後の再生画面を示す図である。
【図１３】変形例に係る拡大処理後の再生画面を示す図である。
【図１４】スクロール操作後の再生画面Ｇ１を示す図である。
【図１５】削除マーク付与後の再生画面を示す図である。
【図１６】更なるスクロール操作後の再生画面を示す図である。
【図１７】他の画像に関する削除マーク付与後の再生画面を示す図である。
【図１８】確認画面を示す図である。
【図１９】プロテクトマーク付与後の再生画面を示す図である。
【図２０】印刷指定マーク付与後の再生画面を示す図である。
【図２１】秘匿化マーク付与後の再生画面を示す図である。
【図２２】明るさ変更後の再生画面を示す図である。
【図２３】変形例に係る明るさ変更後の再生画面を示す図である。
【符号の説明】
【０１２３】
１  撮像装置（画像表示装置）
１２  背面モニタ
８３Ａ  メニューボタン
８３Ｄ  シフトボタン
８４  方向選択キー
Ｇ１  再生画面
ＧＣ  確認画面
ＧＭ  メニュー画面
ＭＫ１  削除マーク
ＭＫ２  プロテクトマーク
ＭＫ３  印刷指定マーク
ＭＫ４  秘匿化マーク
ＭＲ  主表示領域
ＳＲ，ＳＲ１〜ＳＲ３  副表示領域
【図１】
2009063727.tif 000003
【図２】
2009063727.tif 000004
【図３】
2009063727.tif 000005
【図４】
2009063727.tif 000006
【図５】
2009063727.tif 000007
【図６】
2009063727.tif 000008
【図７】
2009063727.tif 000009
【図８】
2009063727.tif 000010
【図９】
2009063727.tif 000011
【図１０】
2009063727.tif 000012
【図１１】
2009063727.tif 000013
【図１２】
2009063727.tif 000014
【図１３】
2009063727.tif 000015
【図１４】
2009063727.tif 000016
【図１５】
2009063727.tif 000017
【図１６】
2009063727.tif 000018
【図１７】
2009063727.tif 000019
【図１８】
2009063727.tif 000020
【図１９】
2009063727.tif 000021
【図２０】
2009063727.tif 000022
【図２１】
2009063727.tif 000023
【図２２】
2009063727.tif 000024
【図２３】
2009063727.tif 000025